(57)【要約】      （修正有）【課題】乾燥機に応じて異なる乾燥条件を定めることができると共に、経済性の向上を図ることができる熱エネルギー供給制御システムを提供する。【解決手段】複数の乾燥機のそれぞれの予め定められた予定温度、予定湿度及びベーク時間に基づいて乾燥機のそれぞれの熱エネルギー要求量を算出すると共に、乾燥機のそれぞれの熱エネルギー要求量に基づいて燃焼機において廃棄物を燃焼する所要の供給量と乾燥機のそれぞれに供給する熱風量を算出する演算モジュール２と、乾燥機のそれぞれのベーク温度と湿度とを検出する検出モジュール３と、演算モジュール２と検出モジュール３とに互いに通信可能に接続され、ベーク温度と予定温度とを比較し、予定温度よりベーク温度が低い場合には熱風量を増やし、予定温度よりベーク温度が高い場合には熱風量を減らす制御モジュールとを備える。【選択図】図２
0003173572.tif 000002
【実用新案登録請求の範囲】
【請求項１】
燃焼機において燃焼する可燃性の廃棄物の供給量と複数の乾燥機のそれぞれへ供給する熱風量とを制御する熱エネルギー供給制御システムであって、
複数の前記乾燥機のそれぞれの予め定められた予定温度、予定湿度及びベーク時間に基づいて前記乾燥機のそれぞれの熱エネルギー要求量を算出すると共に、前記乾燥機のそれぞれの熱エネルギー要求量に基づいて前記燃焼機において前記廃棄物を燃焼する所要の供給量と前記乾燥機のそれぞれに供給する熱風量を算出する演算モジュールと、
前記乾燥機のそれぞれのベーク温度と湿度とを検出する検出モジュールと、
前記演算モジュールと前記検出モジュールとに互いに通信可能に接続され、前記ベーク温度と前記予定温度とを比較し、前記予定温度より前記ベーク温度が低い場合には前記熱風量を増やし、前記予定温度より前記ベーク温度が高い場合には前記熱風量を減らす制御モジュールとを備えていることを特徴とする熱エネルギー供給制御システム。
【請求項２】
前記燃焼機と複数の前記乾燥機のそれぞれとの間に取り付けられた複数のバルブユニットを更に有し、複数の前記バルブユニットのそれぞれが前記熱風量を調節可能に前記制御モジュールに制御されるように前記制御モジュールに接続されていることを特徴とする請求項１に記載の熱エネルギー供給制御システム。
【請求項３】
複数の前記バルブユニットのそれぞれは、前記乾燥機のそれぞれへ供給される熱風量を制御する熱風スイッチバルブと、前記乾燥機へ冷風を案内して前記熱風と混ぜる冷風調節バルブとを有することを特徴とする請求項２に記載の熱エネルギー供給制御システム。
【請求項４】
前記検出モジュールは、前記乾燥機のそれぞれに取り付けられた温度計と湿度計とを有することを特徴とする請求項１に記載の熱エネルギー供給制御システム。
【考案の詳細な説明】
【技術分野】
【０００１】
本考案は、稲、麦等の穀物の生産過程で排出される殻等の可燃廃棄物を燃焼する燃焼機による熱エネルギーを複数の乾燥機へ供給する熱エネルギー供給制御システムに関する。
【背景技術】
【０００２】
農産物や穀物の生産過程においては籾殻、藁屑など様々な収穫廃棄物が多量に発生して非常に嵩張るため、堆積・保管場所に困るものであり、従来一般ごみと共に焼却処分したり、集めて燃やしたりして、その処理方法及び有効利用方法に関して幾つかの試みがなされている。例えば、籾殻などの収穫廃棄物を燃料として、燃焼して発生する熱を利用可能にした燃焼機がすでに提案されている（例えば特許文献１、２等参照）。
【先行技術文献】
【特許文献】
【０００３】
【特許文献１】台湾登録実用新案第Ｍ３０４６２８号
【特許文献２】台湾登録実用新案第Ｍ３０４６２９号
【考案の概要】
【考案が解決しようとする課題】
【０００４】
前記燃焼機による熱エネルギーが花または麦などの穀物の収穫農産物を乾燥する乾燥機に利用されているが、一つの乾燥機につき一つの燃焼機を供給するようになっているため、熱エネルギーの有効利用に至らず、設備のコストもかかるので、経済的でない問題点がある。また、一つの乾燥機による熱エネルギーを複数の乾燥機へ供給する試みはあるが、連結する管路に限られて同じ乾燥条件を定めなければならないため、使い勝手が悪い問題点がある。
【０００５】
本考案は、上記問題点に鑑みてなされたものであり、乾燥機に応じて異なる乾燥条件を定めることができると共に、経済性の向上を図ることができるよう複数の乾燥機へ熱エネルギーを供給する熱エネルギー供給制御システムを提供することを目的とする。
【課題を解決するための手段】
【０００６】
上記目的を達成するため、本考案は、燃焼機において燃焼する可燃性の廃棄物の供給量と複数の乾燥機のそれぞれへ供給する熱風量とを制御する熱エネルギー供給制御システムであって、
複数の前記乾燥機のそれぞれの予め定められた予定温度、予定湿度及びベーク時間に基づいて前記乾燥機のそれぞれの熱エネルギー要求量を算出すると共に、前記乾燥機のそれぞれの熱エネルギー要求量に基づいて前記燃焼機において前記廃棄物を燃焼する所要の供給量と前記乾燥機のそれぞれに供給する熱風量を算出する演算モジュールと、
前記乾燥機のそれぞれのベーク温度と湿度とを検出する検出モジュールと、
前記演算モジュールと前記検出モジュールとに互いに通信可能に接続され、前記ベーク温度と前記予定温度とを比較し、前記予定温度より前記ベーク温度が低い場合には前記熱風量を増やし、前記予定温度より前記ベーク温度が高い場合には前記熱風量を減らす制御モジュールとを備えていることを特徴とする熱エネルギー供給制御システムを提供する。
【考案の効果】
【０００７】
本考案に係る熱エネルギー供給制御装置によれば、複数の乾燥機のそれぞれの予定温度、予定湿度及びベーク時間に応じて燃焼機へ燃焼する可燃廃棄物を所要量供給すると共に、所要の乾燥機によっては所要の熱風量を供給するようになる。従って、乾燥機ごとに熱エネルギーの供給具合を調節することができ、使い勝手が良く、経済性をも向上させることができる。
【図面の簡単な説明】
【０００８】
【図１】燃焼機と複数の乾燥機に適用される本考案に係る熱エネルギー供給制御システムの一実施形態を概略的に示す図である。
【図２】本考案に係る熱エネルギー供給制御システムの一実施形態の構成を示すブロック図である。
【図３】本考案に用いられる複数の乾燥機への熱エネルギー供給制御方法の一例を示す流れ図である。
【考案を実施するための形態】
【０００９】
以下、本考案に係る実施形態を、添付の図面を参照しながら説明する。以下に説明する実施形態は本考案の一実施例であり、本考案は以下の実施形態に制限されるものではない。
図１、２を参照するに、本考案に係る一実施形態の熱エネルギー供給制御システムは、燃焼機１１において燃焼する可燃性の廃棄物の供給量と複数の乾燥機１２のそれぞれへ供給する熱風量とを制御するように適用されるものである。燃焼機１１と複数の乾燥機１２とは管路１３を介して連通されている。本実施形態に係る熱エネルギー供給制御システムは、演算モジュール２と、検出モジュール３と、制御モジュール４と、複数のバルブユニット５とを備えている。
【００１０】
演算モジュール２は、複数の乾燥機１２のそれぞれの予め定められた予定温度Ｔ0、予定湿度Ｗ0及びベーク時間ｔに基づいて乾燥機１２のそれぞれの熱エネルギー要求量を算出すると共に、乾燥機１２のそれぞれの熱エネルギー要求量に基づいて燃焼機１１において可燃廃棄物を燃焼する所要の供給量と乾燥機１２のそれぞれに供給する熱風量を算出する。
【００１１】
検出モジュール３は、複数の温度計３１及び複数の湿度計３２を有し、複数の温度計３１のそれぞれが乾燥機１２のそれぞれに取り付けられ、それぞれの乾燥機１２内のベーク温度Ｔを検出する。湿度計３２のそれぞれが各乾燥機１２内に取り付けられ、各乾燥機１２内の湿度Ｗを検出する。
【００１２】
制御モジュール４は、演算モジュール２と検出モジュール３とに互いに通信可能に接続されており、ベーク温度Ｔと予定温度Ｔ0とを比較し、予定温度Ｔ0よりベーク温度Ｔが低い場合には熱風量を増やし、予定温度Ｔ0よりベーク温度Ｔが高い場合には熱風量を減らすようにする。
【００１３】
複数のバルブユニット５のそれぞれは、燃焼機１１と複数の乾燥機１２のそれぞれとの間に取り付けられ、各バルブユニット５が熱風量を調節可能に制御モジュール４に制御されるように接続されている。それぞれのバルブユニット５は、乾燥機１２のそれぞれへ供給される熱風量を制御する熱風スイッチバルブ５１と、乾燥機１２へ冷風を案内して熱風と混ぜる冷風調節バルブ５２とを有する。
【００１４】
次いで、図１〜３を参照して本考案に係る複数の乾燥機への熱エネルギー供給制御システムに用いられる方法の一例を説明する。この熱エネルギー供給制御方法は、熱エネルギー供給制御システムをツールとして用い、燃焼機において燃焼する可燃性の廃棄物の供給量と複数の乾燥機へ供給する熱風量とを制御する方法である。
【００１５】
ステップＳ６１において、燃焼機１１をスイッチオンする。
ステップＳ６２において、燃焼機１１が自動燃焼手順を行って、可燃性の廃棄物を燃焼した熱風が管路１３を介してそれぞれの乾燥機１２に供給される。なお、冷風調節バルブ５２は制御モジュール４により完全に閉じている。
ステップＳ６３において、演算モジュール２が各乾燥機１２の予定温度Ｔ0、予定湿度Ｗ0及びベーク時間ｔを取得する。
ステップＳ６４において、演算モジュール２は、各乾燥機１２の予定温度Ｔ0、予定湿度Ｗ0及びベーク時間ｔに基づいて各乾燥機１２の熱エネルギー要求量を算出すると共に、算出したそれぞれの熱エネルギー要求量に基づいて燃焼機１１において廃棄物を燃焼する所要の供給量と乾燥機１２のそれぞれに供給する熱風量を算出する。
ステップＳ６５において、温度計３１と湿度計３２とにより乾燥機１２のそれぞれのベーク温度Ｔと湿度Ｗとを検出する。
【００１６】
ステップＳ６６において、制御モジュール４により、いずれかの乾燥機１２の湿度Ｗが予定湿度Ｗ0より低い負差値−Ｗ0に達すると、ステップＳ６７へ進む。一方、達していない場合にはステップＳ６８へ進む。
ステップＳ６７において、制御モジュール４により熱風スイッチバルブ５１をオフして、ベーク時間ｔまで該当する乾燥機１２へ供給される熱風量がゼロになるように制御する。
ステップＳ６８において、制御モジュール４により各乾燥機１２内のベーク温度Ｔと予定温度Ｔ0を比較する。いずれかの乾燥機１２のベーク温度Ｔが予定温度Ｔ0よりも高い場合には、ステップＳ６９へ進み、予定温度Ｔ0よりベーク温度Ｔが低い場合には、ステップ７０へ進む。
ステップＳ６９において、制御モジュール４により熱風スイッチバルブ５１の開け具合を小さく調節して該当する乾燥機１２への熱風量を少なくすると共に、冷風調節バルブ５２の開け具合を調節して冷風を管路１３を介して熱風と混ぜて乾燥機１２へ供給する熱風の温度を下げて、ステップＳ６３へ進む。
ステップＳ７０において、制御モジュール４により、熱風スイッチバルブ５１の開け具合を大きく調節して、該当する乾燥機１２へ熱風量を多く取り入れると共に、冷風調節バルブ５２の開け具合を調節して管路１３への冷たい空気の供給を少なくするか或いは冷たい空気の供給を中断する。このように乾燥機１２へ供給する熱風の温度を上げてステップＳ６３へ進む。
【００１７】
以上により、複数の乾燥機１２のそれぞれの予定温度、予定湿度及びベーク時間に応じて燃焼機１１へ燃焼する可燃廃棄物を所要量供給すると共に、所要の乾燥機１２によって所要の熱風量を供給するようになる。従って、一つの燃焼機１１の熱エネルギーの有効利用を果たすことができ、乾燥機１２のベーク条件によって熱エネルギーの供給具合を調節することができ、使い勝手が良く、経済性をも向上させることができる。
【産業上の利用可能性】
【００１８】
本考案に係る熱エネルギー供給制御システムは、可燃廃棄物を燃焼する燃焼機による熱エネルギーを複数の乾燥機へ供給するのに有用である。
【符号の説明】
【００１９】
１１  燃焼機
１２  乾燥機
１３  管路
２  演算モジュール
３  検出モジュール
３１  温度計
３２  湿度計
４  制御モジュール
５  バルブユニット
５１  熱風スイッチバルブ
５２  冷風調節バルブ
ｔ  ベーク時間
Ｔ  ベーク温度
Ｔ0  予定温度
Ｗ  湿度
Ｗ0  予定湿度
【図１】
0003173572.tif 000003
【図２】
0003173572.tif 000004
【図３】
0003173572.tif 000005